(57)【要約】【課題】被測定者が泳いだり走った時に距離や歩数を正確に計測するためには補助者が必要であり、また、被測定者自身が単独で計測する場合には曖昧な計測しか出来ない点である。【解決手段】被測定者自身が単独で歩数や距離を正確に計測出来るようにするため、被測定者の手の平や足の裏などに感圧式感知部を装着させることにより、水泳プールでは泳者が壁にタッチした圧力で折返しの回数信号を得、陸上では足が地面につく圧力で歩数回数の信号を得てこれをカウントする。【選択図】図１
2008257300.tif 000002
【特許請求の範囲】
【請求項１】
感圧式感知部を被測定者の手の平側または足の裏側に装着することを特徴とする電気式デジタルカウンター
【発明の詳細な説明】
【技術分野】
【０００１】
本発明は、感圧式感知部を備えた電気式デジタルカウンターに関するものである。
【背景技術】
【０００２】
水泳競技会や水泳のトレーニングでは長距離を計測する時は、泳者とは別に計測する競技役員やコーチが泳者に距離を知らせていた。
しかし、水泳は個人で練習をしたり楽しむことが出来るスポーツであるが、泳者が単独で長距離を正しく計測することが困難であった。即ち、泳者自身で計測する場合には距離はコースを往復する回数を頭脳で記憶するとか、プールの近辺に設置されている大時計の経過時間を見て概略計測するなどの方法で行われており、特に距離が長くなると曖昧な記憶による計測しか出来なかった。
【０００３】
陸上競技のトラック種目やフィールド種目の助走では歩数は重要な要素であるが、正確に計測するためには本人とは別に計測する補助者が必要であった。
【０００４】
ウォーキングでの歩数や１日の歩数を計測する歩数計があるが、直接歩数を計測するものでなく振動などによって近似的な歩数しか得られなかった。
【特許文献１】特開２００４−２３４０７９号
【特許文献２】特開２００１−３５６１７５号
【特許文献３】実案出願平１０−１０５５２号
【非特許文献１】グンゼ産業（株）フィットネス・グループ「タイムウインドウ」
【発明の開示】
【発明が解決しようとする課題】
【０００５】
解決しようとする問題点は、被測定者が泳いだり走った時に距離や歩数を正確に計測するためには補助者が必要であり、また、被測定者自身が単独で計測する場合には曖昧な計測しか出来ない点である。
【課題を解決するための手段】
【０００６】
本発明は、被測定者自身が単独で歩数や距離を正確に計測出来るようにするため、被測定者の手の平や足の裏などに感圧式の感知部を装着させることを最も主要な特徴とする。
【発明の効果】
【０００７】
、
本発明のカウンターは、水泳の場合には被測定の泳者が手の平側または足の裏側に感圧式感知部を装着しているため、プールの壁でターンする度にカウント出来るので、補助員を必要とせず確実なカウントにより距離計測が出来る利点がある。また、陸上での用途では被測定者の足の裏側に感圧式感知部を装着しているため、歩いたり走ったりする度足が地面に付く圧力や蹴り出す圧力で確実な歩数が計測出来る。
【発明を実施するための最良の形態】
【０００８】
泳者がプールの壁でターンする時に回数を入力する目的を、手の平や足の裏に感圧式感知部を装着したカウンターで実現した。
【０００９】
歩数を正確に計測する目的を、感圧式感知部を足の裏に装着したカウンターで実現した。
【実施例】
【００１０】
図１は、本発明装置の１実施例の正面図であって、１は着脱式の装着用バンド、２は感圧式感知部、３は感圧式感知部の信号により駆動するカウンター部、４はカウンター部内に設けられ、カウント数を表示する表示部である。５はカウンターをリセットしたり、カウンターを始動するスイッチ部、６、７は本装置を被測定者に固定するための装着用バンドに互いに表裏に取付けられたマジックバンド
【００１１】
本発明のカウンターは水泳で使用する場合は防水型にすることは当然である。また、感圧式感知部の信号により駆動する計時機能を付随して時間計測機能を持たせたカウンターも容易に類推できる。
【００１２】
更に、感圧式感知部とカウンター部を分離して、感知側には感知結果を無線送信する発信部を儲け、カウンター部にはその信号を受信して駆動するカウンターと表示部を設けることも容易に類推できる。
【００１３】
本装置の感圧式感知部は装着が手の場合は、手の第３指（中指）指先または第２指から第５指までの指及び手の平の上半部までをカバーするものであっても良い。装着が足の場合は足の第１指または足の指全体および足の裏側前半分までカバーするものであっても良い。
【００１４】
装着方法は、感圧式感知部を手の平側か足の裏側にして他の機能部分はその反対側（甲側）に位置するように装着するのは当然の事である。
【００１５】
また、装着手段はマジックバンドで示しているが、弾力性のある袋状であっても、手袋や靴や足袋の中で所定部に位置する所に感圧式感知部を予め取付ける方式であっても本発明の効力は同様に得られる。
【００１６】
カウンター部を分離した場合には、カウンター部は腕時計内に組み込むなど被測定者がその用途に応じて最適な部位に装着させたり、組み込む事は当然である。
【産業上の利用可能性】
【００１７】
本カウンターは被測定者の手の平側や足の裏側などに感圧式感知部を装着させることを最も主要な特徴としているため、被測定値を正確に計測出来るだけでなく被測定者を認識する事が出来る。従って、本装置を前記分離型にし、被測定者には感知部と感知結果を無線送信する機能だけを装着し、カウンター部は遠隔で保持すれば、コーチが複数人を個別に指導データとして利用するシステムや、競技会で使用する自動計測装置が実現できる。
【図面の簡単な説明】
【００１８】
【図１】電子式デジタルカウンターの実施例を示した正面図である。
【符号の説明】
【００１９】
１    装着用バンド
２    感圧式感知部
３    カウンター部
４    表示部
５    スイッチ部
６    マジックバンド
７    マジックバンド
【図１】
2008257300.tif 000003
【手続補正書】
【提出日】平成19年5月1日(2007.5.1)
【手続補正１】
【補正対象書類名】明細書
【補正対象項目名】００１２
【補正方法】変更
【補正の内容】
【００１２】
更に、感圧式感知部とカウンター部を分離して、感知側には感知結果を無線送信する発信部を設
け、カウンター部にはその信号を受信して駆動するカウンターと表示部を設けることも容易に類推できる。
【手続補正書】
【提出日】平成19年5月1日(2007.5.1)
【手続補正１】
【補正対象書類名】明細書
【補正対象項目名】００１８
【補正方法】変更
【補正の内容】
【００１８】
【図１】電気式デジタルカウンターの実施例を示した正面図である。
【手続補正書】
【提出日】平成20年1月12日(2008.1.12)
【手続補正１】
【補正対象書類名】特許請求の範囲
【補正対象項目名】全文
【補正方法】変更
【補正の内容】
【特許請求の範囲】
【請求項１】
感圧式感知部を有し、該感知部の感知信号によって駆動するカウンター部とそれらを設けた装着用バンドを有する電気式デジタルカウンターにおいて、装着用バンドには被測定者の手の指または足の指に固定するためのマジックバンドを有し、該感知部は被測定者の手の第３指指先手の平側または足の第１指の裏側に位置し、該カウンター部はその反対側（甲側）に位置するように配置して装着することを特徴とする電気式デジタルカウンター。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
感圧式感知部を有し、該感知部の感知信号によって駆動するカウンター部とそれらを設けた装着用バンドを有する電気式デジタルカウンターにおいて、装着用バンドには被測定者の手の指に固定するためのマジックバンドを有し、該感知部は被測定者の手の第３指指先手の平側に位置し、被測定者がプールでターンする時に第３指指先手の平側が壁に接する事を該感知部で感知して信号を得、該カウンター部はその反対側（甲側）に位置するように配置して手の第３指指先に装着することを特徴とする防水型電気式デジタルカウンター。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
感圧式感知部を有し、該感知部の感知信号によって駆動するカウンター部とそれらを設けた装着用バンドを有する電気式デジタルカウンターにおいて、装着用バンドには被測定者の手の指に固定するための面ファスナーを有し、該感知部は被測定者の手の第３指指先手の平側に位置し、被測定者がプールでターンする時に第３指指先手の平側が壁に接する事を該感知部で感知して信号を得、該カウンター部はその反対側（甲側）に位置するように配置して手の第３指指先に装着することを特徴とする防水型電気式デジタルカウンター。
【手続補正２】
【補正対象書類名】明細書
【補正対象項目名】００１０
【補正方法】変更
【補正の内容】
【００１０】
図１は、本発明装置の１実施例の正面図であって、１は着脱式の装着用バンド、２は感圧式感知部、３は感圧式感知部の信号により駆動するカウンター部、４はカウンター部内に設けられ、カウント数を表示する表示部である。５はカウンターをリセットしたり、カウンターを始動するスイッチ部、６、７は本装置を被測定者に固定するための装着用バンドに互いに表裏に取付けられた面ファスナー
【手続補正３】
【補正対象書類名】明細書
【補正対象項目名】００１５
【補正方法】変更
【補正の内容】
【００１５】
また、装着手段は面ファスナーで示しているが、弾力性のある袋状であっても、手袋や靴や足袋の中で所定部に位置する所に感圧式感知部を予め取付ける方式であっても本発明の効力は同様に得られる。
【手続補正４】
【補正対象書類名】明細書
【補正対象項目名】００１９
【補正方法】変更
【補正の内容】
【００１９】
１  装着用バンド
２  感圧式感知部
３  カウンター部
４  表示部
５  スイッチ部
６  面ファスナー
７  面ファスナー